(57)【要約】【課題】  従来のＶｏＩＰ機能を有する加入者側終端装置と局側端局装置とで構成されるアクセスシステムは、緊急時の通信インフラの優先制御を行うことが難しかった。【解決手段】  本発明は、ＶｏＩＰ音声パケットを含む複数種別の伝送パケットを入力するパケット入力部と、前記パケット入力部から入力する前記伝送パケットの種別に応じてクラス分けを行い、クラス毎の優先度に応じた複数のキューに振り分けるクラス分け部と、前記複数のキューの優先度に応じて優先制御を行うＱｏＳ部と、前記ＱｏＳ部が優先制御した伝送パケットを出力するパケット出力部とを備えたアクセス装置において、前記パケット入力部と、前記クラス分け部との間に、ＶｏＩＰ音声パケットの識別子を監視し、予め決められた所定の識別子を有するＶｏＩＰ音声パケットを前記クラス分け部が振り分ける最優先のキューよりも高い優先度のキューに振り分ける識別子監視部を設けた。【選択図】    図２
2009065558.tif 000002
【特許請求の範囲】
【請求項１】
ＶｏＩＰ音声パケットを含む複数種別の伝送パケットを入力するパケット入力部と、
前記パケット入力部から入力する前記伝送パケットの種別に応じてクラス分けを行い、クラス毎の優先度に応じた複数のキューに振り分けるクラス分け部と、
前記複数のキューの優先度に応じて優先制御を行うＱｏＳ部と、
前記ＱｏＳ部が優先制御した伝送パケットを出力するパケット出力部と
を備えたアクセス装置において、
前記パケット入力部と、前記クラス分け部との間に、ＶｏＩＰ音声パケットの識別子を監視し、予め決められた所定の識別子を有するＶｏＩＰ音声パケットを前記クラス分け部が振り分ける最優先のキューよりも高い優先度のキューに振り分ける識別子監視部を設けた
ことを特徴とするアクセス装置。
【請求項２】
請求項１に記載のアクセス装置において、
前記識別子をＵＤＰポート番号としたことを特徴とするアクセス装置。
【請求項３】
請求項１に記載のアクセス装置を用いたアクセスシステムにおいて、
前記ＶｏＩＰ音声パケットを生成する緊急用のＩＰ電話機に、緊急用のＶｏＩＰ音声パケットとして予め決められた緊急用識別子を付加するＳＩＰ制御部を設け、
前記識別子監視部は、前記緊急用識別子が付加されたＶｏＩＰ音声パケットが到来した場合は、前記クラス分け部が振り分ける最優先のキューよりも高い優先度のキューに振り分ける
ことを特徴とするアクセスシステム。
【請求項４】
請求項３に記載のアクセスシステムにおいて、
前記アクセスシステムをＧＥＰＯＮシステムとし、
前記アクセス装置を前記ＧＥＰＯＮシステムに用いるＯＮＵまたはＯＬＴとした
ことを特徴とするアクセスシステム。
【請求項５】
請求項３または４に記載のアクセス装置において、
前記識別子をＵＤＰポート番号としたことを特徴とするアクセスシステム。
【請求項６】
ＶｏＩＰ音声パケットを含む複数種別の伝送パケットの種別に応じた優先度毎に複数のキューに振り分けて優先制御を行うＶｏＩＰ伝送の優先制御方法において、
入出力する前記伝送パケットの種別がＶｏＩＰ音声パケットで且つ予め決められた所定の識別子を有するＶｏＩＰ音声パケットを前記伝送パケットの種別に応じた最優先のキューよりも高い優先度のキューに振り分けるようにした
ことを特徴とする優先制御方法。
【請求項７】
請求項６に記載のＶｏＩＰ伝送の優先制御方法において、
前記ＶｏＩＰ音声パケットを生成する緊急用のＩＰ電話機に、緊急用のＶｏＩＰ音声パケットとして予め決められた緊急用識別子を付加するようにし、前記緊急用識別子が付加されたＶｏＩＰ音声パケットが到来した場合は、前記伝送パケットの種別に応じた最優先のキューよりも高い優先度のキューに振り分けるようにした
ことを特徴とする優先制御方法。
【請求項８】
請求項６または７に記載の優先制御方法において、
前記識別子をＵＤＰポート番号としたことを特徴とする優先制御方法。
【発明の詳細な説明】
【技術分野】
【０００１】
本発明は、ＶｏＩＰ機能を有するアクセス伝送装置に関し、特にＶｏＩＰ伝送の優先制御技術に関する。
【背景技術】
【０００２】
近年、ブロードバンドインターネットサービスを利用したＩＰ電話が急速に普及してきている。ＩＰ電話は、音質向上のために、ＩＰ電話の音声を送るＶｏＩＰ（Ｖｏｉｃｅ  ｏｖｅｒ  ＩＰ）データに高い優先度を付与して網側でＱｏＳ（Ｑｕａｌｉｔｙ  ｏｆ  Ｓｅｒｖｉｃｅ）を提供し、音声の遅延や損失（データロス）を抑えるような仕組みになっている。特に、ＣｏＳ（Ｃｌａｓｓ  ｏｆ  Ｓｅｒｖｉｃｅ）やＴｏＳ（Ｔｒａｆｆｉｃ  ｏｆ  Ｓｅｒｖｉｃｅ）などの優先制御や帯域制御などが使用されている。このようなサービス種別に応じて優先度が設けられたシステムで、高優先パケットを連続して送信することにより遅延を防止する技術が開示されている（例えば、特許文献１参照）。
【特許文献１】特開２００４−１５３５３９号公報
【発明の開示】
【発明が解決しようとする課題】
【０００３】
ところが、従来技術による優先制御や帯域制御などの方法は、例えばＧＥＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）システムの加入者側終端装置のＧＥＰＯＮ−ＯＮＵ（Ｏｐｔｉｃａｌ  Ｎｅｔｗｏｒｋ  Ｕｎｉｔ）において、高優先データ（例えば音声データ）に対して、データロスしないように他のデータの帯域使用を制限するものであり、緊急時の電話など音声データ内での差別化を図ることは困難であった。
【０００４】
上記課題に鑑み、本発明の目的は、ＶｏＩＰ機能を有する加入者側終端装置と局側端局装置とで構成されるアクセスシステムにおいて、通常の優先制御だけでなく音声データ内での優先度を付加し、緊急時の通信インフラの高信頼性を確保できるＶｏＩＰ機能を有するアクセス伝送装置およびＶｏＩＰ伝送の優先制御方法を提供することである。
【課題を解決するための手段】
【０００５】
請求項１に係る発明は、ＶｏＩＰ音声パケットを含む複数種別の伝送パケットを入力するパケット入力部と、前記パケット入力部から入力する前記伝送パケットの種別に応じてクラス分けを行い、クラス毎の優先度に応じた複数のキューに振り分けるクラス分け部と、前記複数のキューの優先度に応じて優先制御を行うＱｏＳ部と、前記ＱｏＳ部が優先制御した伝送パケットを出力するパケット出力部とを備えたアクセス装置において、前記パケット入力部と、前記クラス分け部との間に、ＶｏＩＰ音声パケットの識別子を監視し、予め決められた所定の識別子を有するＶｏＩＰ音声パケットを前記クラス分け部が振り分ける最優先のキューよりも高い優先度のキューに振り分ける識別子監視部を設けたことを特徴とする。
【０００６】
請求項２に係る発明は、請求項１に記載のアクセス装置において、前記識別子をＵＤＰポート番号としたことを特徴とする。
【０００７】
請求項３に係る発明は、請求項１に記載のアクセス装置を用いたアクセスシステムにおいて、前記ＶｏＩＰ音声パケットを生成する緊急用のＩＰ電話機に、緊急用のＶｏＩＰ音声パケットとして予め決められた緊急用識別子を付加するＳＩＰ制御部を設け、前記識別子監視部は、前記緊急用識別子が付加されたＶｏＩＰ音声パケットが到来した場合は、前記クラス分け部が振り分ける最優先のキューよりも高い優先度のキューに振り分けることを特徴とする。
【０００８】
請求項４に係る発明は、請求項３に記載のアクセスシステムにおいて、前記アクセスシステムをＧＥＰＯＮシステムとし、前記アクセス装置を前記ＧＥＰＯＮシステムに用いるＯＮＵまたはＯＬＴとしたことを特徴とする。
【０００９】
請求項５に係る発明は、請求項３または４に記載のアクセス装置において、前記識別子をＵＤＰポート番号としたことを特徴とする。
【００１０】
請求項６に係る発明は、ＶｏＩＰ音声パケットを含む複数種別の伝送パケットの種別に応じた優先度毎に複数のキューに振り分けて優先制御を行うＶｏＩＰ伝送の優先制御方法において、入出力する前記伝送パケットの種別がＶｏＩＰ音声パケットで且つ予め決められた所定の識別子を有するＶｏＩＰ音声パケットを前記伝送パケットの種別に応じた最優先のキューよりも高い優先度のキューに振り分けるようにしたことを特徴とする。
【００１１】
請求項７に係る発明は、請求項６に記載のＶｏＩＰ伝送の優先制御方法において、前記ＶｏＩＰ音声パケットを生成する緊急用のＩＰ電話機に、緊急用のＶｏＩＰ音声パケットとして予め決められた緊急用識別子を付加するようにし、前記緊急用識別子が付加されたＶｏＩＰ音声パケットが到来した場合は、前記伝送パケットの種別に応じた最優先のキューよりも高い優先度のキューに振り分けるようにしたことを特徴とする。
【００１２】
請求項８に係る発明は、請求項６または７に記載の優先制御方法において、前記識別子をＵＤＰポート番号としたことを特徴とする。
【発明の効果】
【００１３】
本発明によれば、通常のＶｏＩＰインフラと緊急用のＶｏＩＰインフラとを物理的に分けることなく、同じアクセスシステムで扱うＶｏＩＰ音声データの識別子（ＵＤＰのポート番号）によって優先度を分けるようにし、ＶｏＩＰ音声データを識別子毎に別々のキューを使用してキュー毎に優先制御を行うようにしたので、緊急用のＶｏＩＰパケットを通常のＶｏＩＰパケットよりも優先して送ることができ、緊急用のＶｏＩＰインフラの信頼性を高めることができる。
【発明を実施するための最良の形態】
【００１４】
以下、図面を参照して本発明の各実施形態について詳しく説明する。
（第１の実施形態）
図１は第１の実施形態に係るＧＥＰＯＮによるアクセスシステムを中心とするネットワーク全体の構成図である。ＧＥＰＯＮによるアクセスシステムは、上位のネットワーク１０１に接続する局側端局装置（ＯＬＴ）１０２と、光スプリッタ１０３と、複数の加入者側終端装置（ＯＮＵ）１０４〜１０６とで構成される。ＧＥＰＯＮのＯＮＵ１０４〜１０６には通信端末が接続され、例えば、ＯＮＵ１０４およびＯＮＵ１０６にはＩＰ電話機１０７およびＩＰ電話機１０９が接続され、ＩＰ電話のサービスを受けることができる。また、ＯＮＵ１０５にはパソコン１０８が接続され、上位のネットワーク１０１を介してインターネットアクセスなどを行うことができる。
【００１５】
同様に、通信先のＧＥＰＯＮによるアクセスシステムは、上位のネットワーク１０１に接続するＯＬＴ１１０と、光スプリッタ１１１と、複数のＯＮＵ１１２〜１１４とで構成される。ＧＥＰＯＮのＯＮＵ１１２〜１１４には通信端末が接続され、例えば、ＯＮＵ１１２およびＯＮＵ１１３にはＩＰ電話機１１５およびＩＰ電話機１１６が接続され、ＩＰ電話のサービスを受けることができる。また、ＯＮＵ１１４にはパソコン１１７が接続され、上位のネットワーク１０１を介してインターネットアクセスなどを行うことができる。
【００１６】
また、ＩＰ電話機を利用する際には、上位のネットワークに接続されたセッション確立を制御するＳＩＰサーバ１１８が接続され、ＩＰ電話機の接続制御を行う。例えば、ＩＰ電話機１０７がＩＰ電話機１１５と接続する場合は、ＳＩＰサーバ１１８に対して、ＩＰ電話機１１５の電話番号または電話番号に相当するＵＲＩ（Ｕｎｉｆｏｒｍ  Ｒｅｓｏｕｒｃｅ  Ｉｄｅｎｔｉｆｉｅｒ）の問い合わせをＳＩＰサーバ１１８に行う。尚、この時、セッション確立用のＵＤＰポート番号（例えば５０６０）で通信される。
【００１７】
ＩＰ電話機１０７から問い合わせを受けたＳＩＰサーバ１１８は、ＩＰ電話機１１５との間でセッション確立用のＵＤＰポート番号を用いてセッション確立を行い、ＩＰ電話機１１５の応答が確認されると、ＩＰ電話機１０７との接続を完了する。このように、ＳＩＰサーバ１１８は、一般電話機の交換機の役割を担っている。
【００１８】
次に、本実施形態に係るアクセス装置の一例として、ＯＮＵ１０４について詳しく説明する。図２はＯＮＵ１０４の構成を示した図である。ＯＮＵ１０４の送信側は、ＳＩＰサーバ１１８との間でセッション確立を行うと共にＩＰ電話機１０７を接続する音声コーデックおよびＳＩＰ制御部２０１と、送受信パケットの光信号を分岐する光スプリッタ２０２と、送信パケットのＵＤＰポート番号をチェックするＵＤＰポート番号監視部２０３と、送信パケットのＶＬＡＮタグの優先度に応じてクラス分けするクラス分け部２０４と、送信パケットの優先制御を行うＱｏＳ部２０５と、送受信パケットの光信号を分岐する光スプリッタ２０６と、ＯＬＴ１０２に接続するＧＥＰＯＮ終端部２０７とで構成される。
【００１９】
ＱｏＳ部２０５は、ＵＤＰポート番号監視部２０３から直接入力される送信パケットの出力待ちを行うキュー２１１と、クラス分け部２０４がクラス分けした送信パケットを優先度に応じて出力待ちを行うキュー２１２〜２１５と、キュー２１１〜２１５で出力待ちの送信パケットをそれぞれのキューの優先度に応じて、優先度の高いものから優先させて出力するＱｏＳ出力部２１６とで構成される。尚、キュー２１１〜２１５において、キュー２１１が最も優先度が高く、順にキュー２１２，キュー２１３，キュー２１４と優先度が低くなっていき、キュー２１５が最も優先度が低いキューである。
【００２０】
一方、ＯＮＵ１０４の受信側は、ＯＬＴ１０２側から受信する光信号は、ＧＥＰＯＮ終端部２０７で終端され、光スプリッタ２０６で分岐された受信パケットのＵＤＰポート番号をチェックするＵＤＰポート番号監視部２０８と、受信パケットのＶＬＡＮタグの優先度に応じてクラス分けするクラス分け部２０９と、受信パケットの優先制御を行って光スプリッタ２０２を介して音声コーデックおよびＳＩＰ制御部２０１に出力するＱｏＳ部２１０とで構成される。
【００２１】
受信側のＱｏＳ部２１０は、送信側のＱｏＳ部２０５と同じ構成で、送信パケットと受信パケットは異なるが基本的な動作は同じである。例えば、ＵＤＰポート番号監視部２０８から直接入力される受信パケットの出力待ちを行うキュー２１７と、クラス分け部２０９がクラス分けした受信パケットを優先度に応じて出力待ちを行うキュー２１８〜２２１と、キュー２１８〜２２１で出力待ちの受信パケットをそれぞれのキューの優先度に応じて、優先度の高いものから優先させて出力するＱｏＳ出力部２２２とで構成される。尚、キュー２１７〜２２１において、キュー２１７が最も優先度が高く、順にキュー２１８，キュー２１９，キュー２２０と優先度が低くなっていき、キュー２２１が最も優先度が低いキューである。
【００２２】
次に、本実施形態の特徴である優先制御方法について説明する。従来のアクセス装置では、例えばＶＬＡＮタグのユーザプライオリティフィールドの３ビットの情報を用いて、優先制御が行われていた。これは、例えば図２のクラス分け部２０４のクラス分け動作に相当するが、ＶＬＡＮタグのユーザプライオリティフィールドは、８段階のプライオリティしか付けられず、サービス種別（インターネットアクセス，ＶｏＩＰアクセスなど）に応じて、優先度を分ける程度しか行われていなかった。このため、例えば同じサービス種別のＶｏＩＰパケットの優先度は同じになってしまい、緊急用のＩＰ電話機であっても一般のＩＰ電話機と同じ優先度しか与えることができなかった。
【００２３】
そこで、本実施形態に係る優先制御方法では、ＶＬＡＮタグのユーザプライオリティフィールドとは別に、ＵＤＰポート番号を用いて優先度を制御する。ＵＤＰポート番号は、その番号に応じて内容が決められているものもあるが、ユーザが設定できるポート番号もある。例えば、図３に示すように、ＵＤＰポート番号：５０６０はＳＩＰサーバ１１８がＶｏＩＰのセッション確立時に使用するＵＤＰポート番号として決められている。本実施形態では、例えば、番号ＡおよびＢのＵＤＰポート番号が付加されたパケットは緊急電話用、番号Ｃ〜ＦのＵＤＰポート番号が付加されたパケットは一般電話用、番号Ｇ〜ＺのＵＤＰポート番号が付加されたパケットは一般通信用などと予め決めておき、緊急用のＩＰ電話機１０７とＩＰ電話機１１５には、番号ＡまたはＢのＵＤＰポート番号を用いる。尚、実際にＵＤＰポート番号付加するのは、音声コーデックおよびＳＩＰ制御部２０１でＩＰ電話機１０７から入力する音声を音声コーデックで符号化してＶｏＩＰパケットを生成する際に行われる。
【００２４】
今、図１において、緊急用のＩＰ電話機１０７は、ＳＩＰサーバ１１８を介して、接続先のＩＰ電話機１１５と既にセッションを確立して、ＵＤＰポート番号Ａを用いて通話できる状態にあるものとする。また、図２において、ＵＤＰポート番号監視部２０３および２０８には、番号ＡまたはＢのＵＤＰポート番号を最優先するように予め設定されているものとして説明する。
【００２５】
緊急用のＩＰ電話機１０７から入力する音声のＶｏＩＰパケットには、音声コーデックおよびＳＩＰ制御部２０１で番号ＡのＵＤＰポート番号が付加され、光スプリッタ２０２を介してＵＤＰポート番号監視部２０３に出力される。ＵＤＰポート番号監視部２０３は、入力したパケットのＵＤＰポート番号が予め設定されたＵＤＰポート番号ＡまたはＢに該当するか否かを判別する。予め設定されたＵＤＰポート番号ＡまたはＢに該当する場合はＱｏＳ部２０５のキュー２１１に出力し、予め設定されたＵＤＰポート番号ＡまたはＢに該当しない場合はクラス分け部２０４に出力する。緊急用のＩＰ電話機１０７から入力する音声のＶｏＩＰパケットには番号ＡのＵＤＰポート番号が付加されているので、このＶｏＩＰパケットはＱｏＳ部２０５の中で最も優先度が高いキュー２１１に出力される。この結果、ＱｏＳ出力部２１６は、このＶｏＩＰパケットを優先して光スプリッタ２０６に出力し、ＧＥＰＯＮ終端部２０７を介してＯＬＴ１０２側に出力される。
【００２６】
一方、音声コーデックおよびＳＩＰ制御部２０１以外の下位装置から出力されるＶｏＩＰパケットやその他の伝送パケットが光スプリッタ２０２を介してＵＤＰポート番号監視部２０３に入力されても、ＵＤＰポート番号が予め設定されたＵＤＰポート番号に該当しないので、クラス分け部２０４に出力され、通常のＶＬＡＮタグのユーザプライオリティフィールドの優先度に基づいて、ＱｏＳ部２０５のキュー２１２〜２１５の何れかに出力される。
【００２７】
通信先の緊急用のＩＰ電話機１１５が接続されているＯＮＵ１１２も図２のＯＮＵ  １０４と同様に動作し、番号ＡのＵＤＰポート番号が付加された緊急用のＩＰ電話機１１５のＶｏＩＰパケットは最優先して出力され、光スプリッタ１１１，ＯＬＴ１１０，ネットワーク１０１，ＯＬＴ１０２，光スプリッタ１０３を介してＯＮＵ１０４に送られてくる。ＯＮＵ１０４に送られてきた緊急用のＩＰ電話機１１５のＶｏＩＰパケットは、光スプリッタ２０６を介してＵＤＰポート番号監視部２０８に入力される。ＵＤＰポート番号監視部２０８は、ＵＤＰポート番号監視部２０３と同様に動作し、入力したパケットのＵＤＰポート番号が予め設定されたＵＤＰポート番号ＡまたはＢに該当するか否かを判別する。予め設定されたＵＤＰポート番号ＡまたはＢに該当する場合はＱｏＳ部２１０のキュー２１７に出力し、予め設定されたＵＤＰポート番号ＡまたはＢに該当しない場合はクラス分け部２０９に出力する。緊急用のＩＰ電話機１１５から送られてくるＶｏＩＰパケットには番号ＡのＵＤＰポート番号が付加されているので、このＶｏＩＰパケットはＱｏＳ部２１０の中で最も優先度が高いキュー２１７に出力される。この結果、ＱｏＳ出力部２２２は、このＶｏＩＰパケットを優先して光スプリッタ２０２に出力し、音声コーデックおよびＳＩＰ制御部２０１に入力される。音声コーデックおよびＳＩＰ制御部２０１は、緊急用のＩＰ電話機１１５から送られてくるＶｏＩＰパケットから音声データを取り出し、音声コーデックでアナログの音声信号に変換して緊急用のＩＰ電話機１０７に出力する。
【００２８】
このように、予め設定されたＵＤＰポート番号を有するパケットだけが最も優先度の高いキュー２１１およびキュー２１７に出力されるので、同じＶｏＩＰパケットであっても優先度を変えることができ、緊急用のＩＰ電話機１０７と緊急用のＩＰ電話機１１５との通話が最優先される。
（第２の実施形態）
次に、第２の実施形態に係るＧＥＰＯＮによるアクセス装置について説明する。尚、アクセスシステムを中心とするネットワーク全体の構成図は、第１の実施形態で説明した図１と同じである。第１の実施形態では、アクセス装置としてＧＥＰＯＮによるアクセスシステムのＯＮＵ１０４について説明したが、本実施形態ではＯＬＴ１０２の場合について説明する。
【００２９】
図４は、ＯＬＴ１０２の構成を示した図である。ＯＬＴ１０２の送信側は、光スプリッタ１０３を介してＯＮＵ１０４〜１０６から送られてくる送信パケットを終端するＧＥＰＯＮ終端部３０１と、送受信パケットの光信号を分岐する光スプリッタ３０２と、送信パケットのＵＤＰポート番号をチェックするＵＤＰポート番号監視部３０３と、送信パケットのＶＬＡＮタグの優先度に応じてクラス分けするクラス分け部３０４と、送信パケットの優先制御を行うＱｏＳ部３０５と、送受信パケットの光信号を分岐する光スプリッタ３０６とで構成される。
【００３０】
ＱｏＳ部３０５は、ＵＤＰポート番号監視部３０３から直接入力される送信パケットの出力待ちを行うキュー３１１と、クラス分け部３０４がクラス分けした送信パケットを優先度に応じて出力待ちを行うキュー３１２〜３１５と、キュー３１１〜３１５で出力待ちの送信パケットをそれぞれのキューの優先度に応じて、優先度の高いものから優先させて出力するＱｏＳ出力部３１６とで構成される。尚、キュー３１１〜３１５において、キュー３１１が最も優先度が高く、順にキュー３１２，キュー３１３，キュー３１４と優先度が低くなっていき、キュー３１５が最も優先度が低いキューである。
【００３１】
一方、ＯＬＴ１０２の受信側は、光スプリッタ３０６で分岐された受信パケットのＵＤＰポート番号をチェックするＵＤＰポート番号監視部３０８と、受信パケットのＶＬＡＮタグの優先度に応じてクラス分けするクラス分け部３０９と、受信パケットの優先制御を行って光スプリッタ３０２を介してＧＥＰＯＮ終端部３０１に出力するＱｏＳ部３１０とで構成される。
【００３２】
受信側のＱｏＳ部３１０は、送信側のＱｏＳ部３０５と同じ構成で、送信パケットと受信パケットは異なるが基本的な動作は同じである。例えば、ＵＤＰポート番号監視部３０８から直接入力される受信パケットの出力待ちを行うキュー３１７と、クラス分け部３０９がクラス分けした受信パケットを優先度に応じて出力待ちを行うキュー３１８〜３２１と、キュー３１８〜３２１で出力待ちの受信パケットをそれぞれのキューの優先度に応じて優先度の高いものから優先させて出力するＱｏＳ出力部３２２とで構成される。尚、キュー３１７〜３２１において、キュー３１７が最も優先度が高く、順にキュー３１８，キュー３１９，キュー３２０と優先度が低くなっていき、キュー３２１が最も優先度が低いキューである。
【００３３】
次に、本実施形態の特徴である優先制御方法は、第１の実施形態と同様に、ＶＬＡＮタグのユーザプライオリティフィールドとは別に、ＵＤＰポート番号を用いて優先度を制御する。今、第１の実施形態と同様に、緊急用のＩＰ電話機１０７は、ＳＩＰサーバ１１８を介して、接続先のＩＰ電話機１１５と既にセッションを確立して、ＵＤＰポート番号Ａを用いて通話できる状態にあるものとする。また、図３において、ＵＤＰポート番号監視部３０３および３０８には、番号ＡまたはＢのＵＤＰポート番号を最優先するように予め設定されているものとする。
【００３４】
ＯＮＵ１０４からＧＥＰＯＮ終端部３０１に送られてくる緊急用のＩＰ電話機１０７のＶｏＩＰパケットは、光スプリッタ３０２を介してＵＤＰポート番号監視部３０３に出力される。ＵＤＰポート番号監視部３０３は、入力したパケットのＵＤＰポート番号が予め設定されたＵＤＰポート番号ＡまたはＢに該当するか否かを判別する。緊急用のＩＰ電話機１０７のＶｏＩＰパケットには番号ＡのＵＤＰポート番号が付加されているので、このＶｏＩＰパケットはＱｏＳ部３０５の中で最も優先度が高いキュー３１１に出力される。この結果、ＱｏＳ出力部３１６は、このＶｏＩＰパケットを優先して光スプリッタ３０６に出力し、上位のネットワーク１０１側に出力される。
【００３５】
一方、ＵＤＰポート番号ＡまたはＢに該当しない他の装置から出力されるＶｏＩＰパケットやその他の伝送パケットが光スプリッタ３０２を介してＵＤＰポート番号監視部３０３に入力されても、ＵＤＰポート番号が予め設定されたＵＤＰポート番号に該当しないので、クラス分け部３０４に出力され、通常のＶＬＡＮタグのユーザプライオリティフィールドの優先度に基づいて、ＱｏＳ部３０５のキュー３１２〜３１５の何れかに出力される。
【００３６】
通信先の緊急用のＩＰ電話機１１５が接続されているＯＬＴ１１０も図４のＯＬＴ１０２と同様に動作し、番号ＡのＵＤＰポート番号が付加された緊急用のＩＰ電話機１１５のＶｏＩＰパケットは最優先して出力され、ネットワーク１０１を介してＯＬＴ１０２に送られてくる。ＯＬＴ１０２に送られてきた緊急用のＩＰ電話機１１５のＶｏＩＰパケットは、光スプリッタ３０６を介してＵＤＰポート番号監視部３０８に入力される。ＵＤＰポート番号監視部３０８は、ＵＤＰポート番号監視部３０３と同様に動作し、入力したパケットのＵＤＰポート番号が予め設定されたＵＤＰポート番号ＡまたはＢに該当するか否かを判別する。緊急用のＩＰ電話機１１５から送られてくるＶｏＩＰパケットには番号ＡのＵＤＰポート番号が付加されているので、このＶｏＩＰパケットはＱｏＳ部３１０の中で最も優先度が高いキュー３１７に出力される。この結果、ＱｏＳ出力部３２２は、このＶｏＩＰパケットを優先して光スプリッタ３０２に出力し、ＧＥＰＯＮ終端部３０１を介してＯＮＵ１０４側に出力される。ＯＮＵ１０４側の動作は、第１の実施形態で説明した通りで、緊急用のＩＰ電話機１１５から送られてくるＶｏＩＰパケットが最優先され、音声コーデックでアナログの音声信号に変換して緊急用のＩＰ電話機１０７に出力される。
【００３７】
このように、予め設定されたＵＤＰポート番号を有するパケットだけが最も優先度の高いキュー３１１およびキュー３１７に出力されるので、同じＶｏＩＰパケットであっても優先度を変えることができ、緊急用のＩＰ電話機１０７と緊急用のＩＰ電話機１１５との通話が最優先される。
【００３８】
以上、各実施形態で説明してきたように、本発明に係るアクセス伝送装置およびアクセスシステム並びに優先制御方法は、通常のＶｏＩＰインフラと緊急用のＶｏＩＰインフラとを物理的に分けることなく、同じアクセスシステムで緊急用のＶｏＩＰパケットを通常のＶｏＩＰパケットよりも優先して送ることができ、緊急用のＶｏＩＰインフラの信頼性を高めることができる。
【図面の簡単な説明】
【００３９】
【図１】第１および第２の実施形態に係るアクセスシステムからなるネットワーク全体の構成図である。
【図２】第１の実施形態に係るＯＮＵ１０４のブロック図である。
【図３】ＵＤＰポート番号を説明するための補助図である。
【図４】第２の実施形態に係るＯＬＴ１０２のブロック図である。
【符号の説明】
【００４０】
１０１・・・上位のネットワーク
１０２，１１０・・・局側端局装置（ＯＬＴ）
１０３，１１１・・・光スプリッタ
１０４〜１０６，ＯＮＵ１１２〜１１４・・・加入者側終端装置（ＯＮＵ）
１０７，１１５・・・緊急用のＩＰ電話機
１０９，１１６・・・一般用のＩＰ電話機
１０８，１１７・・・パソコン
２０１・・・音声コーデックおよびＳＩＰ制御部
２０２，２０６・・・光スプリッタ
２０３，２０８・・・ＵＤＰポート番号監視部
２０４，２０９・・・クラス分け部
２０５，２１０・・・ＱｏＳ部
２０７・・・ＧＥＰＯＮ終端部
２１１〜２１５，２１７〜２２１・・・キュー
２１６，２２２・・・ＱｏＳ出力部
３０１・・・ＧＥＰＯＮ終端部
３０２，３０６・・・光スプリッタ
３０３，３０８・・・ＵＤＰポート番号監視部
３０４，３０９・・・クラス分け部
３０５，３１０・・・ＱｏＳ部
３１１〜３１５，３１７〜３２１・・・キュー
３１６，３２２・・・ＱｏＳ出力部
【図１】
2009065558.tif 000003
【図２】
2009065558.tif 000004
【図３】
2009065558.tif 000005
【図４】
2009065558.tif 000006